(57)【要約】【課題】  カートリッジやベアディスクのような形態の相違する記録媒体のチャッキングミスを防止し、且つ、トレイおよび装置全体の薄型化を可能とする。【解決手段】  ベアディスクおよびディスクを収納したカートリッジ等の外径の相違する記録媒体の何れかを選択して搭載可能なトレイを有し、該トレイを光ディスク装置本体内に移送することで、前記トレイに搭載された記録媒体を、ターンテーブルがチャッキングするようにした光ディスク装置であって、前記トレイの移送方向の前部と後部には、それぞれ記録媒体をトレイの搭載面の所定位置に保持する保持手段が設けられ、少なくとも一方の保持手段は、保持部材が小径の記録媒体を保持可能な第一保持位置と、大径の記録媒体を保持可能な第二保持位置とに移動可能に構成され、前記保持部材は弾性部材により第一保持位置に付勢されている。【選択図】図１
2006085836.tif 000002
【特許請求の範囲】
【請求項１】
ディスクを収納したカートリッジおよびベアディスク等の外径の相違する記録媒体の何れかを選択して搭載可能なトレイを有し、該トレイを光ディスク装置本体内に移送することで、前記トレイに搭載された記録媒体を、ターンテーブルがチャッキングするようにした光ディスク装置であって、
前記トレイの移送方向の前部と後部には、それぞれ記録媒体をトレイの搭載面の所定位置に保持する保持手段が設けられ、少なくとも一方の保持手段は、保持部材が小径の記録媒体を保持可能な第一保持位置と、大径の記録媒体を保持可能な第二保持位置とに移動可能に構成され、前記保持部材は弾性部材により第一保持位置に付勢されていることを特徴とする光ディスク装置。
【請求項２】
ディスクを収納したカートリッジおよびベアディスクの何れかを選択して搭載可能なトレイを有し、該トレイを、光ディスク装置本体内に移送することで、前記トレイに搭載されたベアディスクまたはカートリッジ内のディスクを、ターンテーブルがチャッキングするようにした光ディスク装置であって、
前記トレイの移送方向の前部と後部には、ベアディスクまたはカートリッジをトレイの搭載面の所定位置に保持する保持手段が設けられ、少なくとも一方の保持手段は、保持部材がベアディスクを保持可能なベアディスク保持位置と、カートリッジを保持可能なカートリッジ保持位置とに移動可能に構成され、前記保持部材は弾性部材によりベアディスク保持位置に付勢されていることを特徴とする光ディスク装置。
【請求項３】
前記保持部材は、トレイの底壁に沿って回動可能であり、しかも、前記保持部材は、ベアディスクの外周径より大きい内周径を有するベアディスクガイド面と、前記保持部材が、前記ベアディスク保持位置にあるとき、前記カートリッジの後角部が当接する傾斜面を有する請求項２に記載の光ディスク装置。
【請求項４】
前記弾性部材の弾性力は、前記ベアディスクの後部が保持部材の傾斜面に載置された際に、ベアディスクが自重により傾斜面を摺動可能で、且つカートリッジの後部が傾斜面に載置された際に、カートリッジの自重により保持部材が後退可能な力に設定されている請求項３に記載の光ディスク装置。
【発明の詳細な説明】
【技術分野】
【０００１】
本発明は、ベアディスクやディスクを収納したカートリッジ等の形態の相違する記録媒体が搭載可能なトレイを備えた光ディスク装置に関する。
【背景技術】
【０００２】
従来、光ディスク装置は、ディスクが収納されたカートリッジか、裸のディスク（ベアディスク）を選択して搭載可能になされたトレイを備えたものがある。このトレイは、ベアディスクまたはカートリッジを搭載して光ディスク装置本体内にローディングされる。このトレイの略中央部には、ベアディスクを搭載するための凹部が形成されている。そして、ベアディスクを使用する場合には、ベアディスクをトレイの凹部の底面に搭載していた。また、また、カートリッジを搭載する場合には、凹部の周面に形成されたカートリッジ搭載面に搭載していた（例えば、特許文献１参照。）。
【特許文献１】特許第３０１７７２３号
【発明の開示】
【発明が解決しようとする課題】
【０００３】
従来のトレイは、装置本体の外でディスクを交換可能な着脱位置と、装置本体内への挿入が完了しディスクの記録再生が可能な記録再生位置との間を移送される。かかる記録再生位置において、図１０（ｂ）に示すようにトレイ１００のカートリッジ搭載面１０１に搭載されたカートリッジ１０２内のディスク１０３の中心孔１０３ａや、図１０（ｃ）に示すようにトレイ１００の凹部１０５に搭載されたベアディスク１０６の中心孔１０６ａに、モータ１０７で回転するターンテーブル１０８を嵌合させてチャッキングし、それぞれのディスクを回転させる。
【０００４】
特に、トレイ１００の挿入方向への移送動作によるベアディスク１０６の位置ずれを防止し保持するために、前記凹部１０５にはある程度の深さが必要となる。しかし、ベアディスク１０６とカートリッジ１０２の両方を搭載可能なトレイ１００においては、前記凹部１０５を深くすると、カートリッジ搭載面１０１と、ベアディスクの搭載面である凹部１０５の底面１０５ａとの高さ位置の差が大きくなる（図１０（ａ）参照）。そのため、トレイ１００に搭載した時のカートリッジ１０２内のディスク１０３と、ベアディスク１０６とのそれぞれの高さの差が大きくなり、各ディスクへのターンテーブル１０８のチャッキング時にチャッキングミスを生じるおそれがあった。
【０００５】
また、凹部１０５の深さを深くすると、トレイ１００を厚く製作する必要があるため、装置全体が厚くなるという問題もあった。
【０００６】
しかも、従来のようにトレイに凹部を設けた場合、ユーザはベアディスクを凹部以外のカートリッジ搭載面に置くことが可能であり、正確に凹部に置かれなかった場合、チャッキングミスによりディスクや装置を損傷するおそれもあった。
【０００７】
本発明は、カートリッジやベアディスクのような形態の相違する記録媒体のチャッキングミスを防止し、且つ、トレイおよび装置全体の薄型化を可能とすることを課題とする。
【課題を解決するための手段】
【０００８】
本発明は上記問題点を解決するため、以下の様な構成とするものである。
【０００９】
本発明は、ベアディスクおよびディスクを収納したカートリッジ等の外径の相違する記録媒体の何れかを選択して搭載可能なトレイを有し、該トレイを光ディスク装置本体内に移送することで、前記トレイに搭載された記録媒体を、ターンテーブルがチャッキングするようにした光ディスク装置であって、前記トレイの移送方向の前部と後部には、それぞれ記録媒体をトレイの搭載面の所定位置に保持する保持手段が設けられ、少なくとも一方の保持手段は、保持部材が小径の記録媒体を保持可能な第一保持位置と、大径の記録媒体を保持可能な第二保持位置とに移動可能に構成され、前記保持部材は弾性部材により第一保持位置に付勢されていることにある。
【００１０】
前記本発明の光ディスク装置において、保持手段により、外径の相違する任意の形態の記録媒体をトレイの所定位置で保持可能となる。従って、トレイに特定の記録媒体用の深い凹部を設ける必要がなく、トレイ及び装置の薄型化が可能となる。また、トレイの動作時に位置ずれしないので、記録媒体を確実にチャッキングでき、良好な操作感が得られる。
【００１１】
なお、保持手段により、記録媒体をトレイの所定位置で保持可能とは、記録媒体をチャッキングできる位置に位置決めすることをいう。
【００１２】
また、外径の相違する記録媒体としてベアディスクか、ディスクを収納したカートリッジを搭載する本発明の光ディスク装置は、トレイの移送方向の前部と後部には、ベアディスクまたはカートリッジをトレイの搭載面の所定位置に保持する保持手段が設けられ、少なくとも一方の保持手段は、保持部材がベアディスクを保持可能なベアディスク保持位置と、カートリッジを保持可能なカートリッジ保持位置とに移動可能に構成され、前記保持部材は弾性部材により、ベアディスク保持位置に付勢されていることにある。
【００１３】
かかる本発明の光ディスク装置は、保持手段により、ベアディスクまたはカートリッジをチャッキングのセンターで保持可能となる。従って、トレイにベアディスク保持用の深い凹部を設ける必要がなく、また、ベアディスクとカートリッジの搭載面を面一にできることから、トレイ及び装置全体の薄型化が可能となる。
【００１４】
本発明の光ディスク装置の前記保持部材は、トレイの底壁に沿って回動可能であり、しかも、前記保持部材は、ディスクの外周径より大きい内周径を有するベアディスクガイド面と、前記保持部材が、前記ベアディスク保持位置にあるとき、前記カートリッジの後角部が当接する傾斜面を有することにある。
【００１５】
かかる本発明の光ディスク装置は、前記保持部材が回動する構成であり、保持部材は、トレイの底壁の面方向に回転して逃げるため、保持手段によって、トレイや装置全体の厚さが厚くなるのを防止できる。
【００１６】
本発明の光ディスク装置の前記弾性部材の弾性力は、前記ベアディスクの後部が保持部材の傾斜面に載置された際に、ベアディスクが自重により傾斜面を摺動可能で、且つカートリッジの後部が傾斜面に載置された際に、カートリッジの自重により保持部材が後退可能な力に設定されているのが好ましい。かかる場合には、ベアディスクが所定の位置から若干ずれた位置に載置されても、ベアディスクを自重で移動させて所定の位置に搭載できる。また、カートリッジは、自重で保持部材をカートリッジ保持位置に回動させるため、カートリッジを所定位置に搭載でき、チャッキングミスによるディスクや装置の損傷を防止できる。
【発明の効果】
【００１７】
本発明の光ディスク装置は、形態の相違する記録媒体のチャッキングミスを防止し、且つ、トレイおよび装置全体の薄型化が可能となる。
【発明を実施するための最良の形態】
【００１８】
以下、添付図面を参照して本発明の実施の形態について説明する。
【００１９】
図１〜図９は、本発明の一実施の形態を示す。図１はベアディスクを搭載したトレイの平面図、図２はカートリッジを搭載したトレイの平面図、図３はベアディスクを搭載したトレイの斜視図、図４はカートリッジを搭載する状態のトレイの斜視図、図５は光ディスク装置の概略斜視図である。
【００２０】
ディスクに情報を記録再生するための光ディスク装置１は、光ディスク装置本体１０と、トレイ２０とを備えている。光ディスク装置本体１０は、図８（ｃ）および図９（ｃ）に示すようにモータ３により回転するターンテーブル５が、ケーシング６内に収容されたものである。カートリッジ３０は、図７に示すように上下壁３２、３３および側周壁３４からなるケーシング３５内に、ディスク３１ａを回転自在に収納したものである。
【００２１】
また、トレイ２０は、ディスク３１ａが収納されたカートリッジ３０及び裸のディスク（ベアディスク）３１ｂの何れかの記録媒体を選択して搭載可能になっている。なお、カートリッジ３０のディスク３１ａとベアディスク３１ｂとは、同一直径で且つ同一厚さに設定されている。従って、カートリッジ３０の外径は、ベアディスク３１ｂの外径よりも大きくなっている。
【００２２】
トレイ２０は、カートリッジ３０またはベアディスク３１ｂを光ディスク装置本体１０内にローディングして記録再生可能な位置（記録再生位置）と、光ディスク装置１外にアンローディングして記録媒体を着脱可能な位置（着脱位置）とに移送可能に構成されている。また、トレイ２０は、カートリッジ３０またはベアディスク３１ｂを搭載する面（記録媒体搭載面）２１を有する底壁２２を備えている。この記録媒体搭載面２１には、ベアディスク３１ｂの直径より少し小さい径の浅い円形凹部２４が設けられている。この円形凹部２４は、ベアディスク３１ｂの搭載時に、ベアディスク３１ｂの信号記録面に傷が付くのを防止するためのものである。
【００２３】
トレイ２０の底壁２２の前部には、一対の保持手段４０が設けられている。各保持手段４０は、底壁２２に立設された支持軸４１を中心にして回動自在な保持部材としての回動体４３と、この回動体４３を所定位置に付勢する付勢手段４４とを備えている。付勢手段４４は、棒状のばねからなり、一方が回動体４３に連結され、他方が底壁２２側に連結されている。
【００２４】
回動体４３には、ベアディスク３１ｂの位置決めをするベアディスクガイド面４５ａを有するガイド部４５と、カートリッジ３０に当接する当接部４６とを備えている。前記ベアディスクガイド面４５ａは、ベアディスク３１ｂの直径よりも若干大きな内周径で且つベアディスク３１ｂの外周に沿う凹面に形成されている。
【００２５】
また、回動体４３は、ガイド部４５がベアディスク３１ｂを保持可能なベアディスク保持位置（第一保持位置）と、当接部４６がカートリッジ３０を保持可能なカートリッジ保持位置（第二保持位置）とに回動可能になされている。また、前記ばね４４は、ベアディスク保持位置を維持するように、回動体４３を付勢している。
【００２６】
トレイ２０の底壁２２の後部には、一対の保持手段５０が設けられている。各保持手段５０は、底壁２２に立設された支持軸５１を中心にして底壁２２に沿って回動自在な保持部材としての回動レバー５３と、この回動レバー５３を所定位置に付勢する付勢手段５４とを備えている。付勢手段５４は、棒状のばねからなり、一方が回動レバー５３に連結され、他方がトレイ２０の後壁２３側に連結されている。
【００２７】
回動レバー５３の先端には、保持部５６が設けられている。保持部５６には、ベアディスクガイド面５５とカートリッジ当接面５７とが設けられている。ベアディスクガイド面５５は、ベアディスク３１ｂの直径よりも若干大きな内周径で且つベアディスク３１ｂの外周に沿う凹面に形成されている。回動レバー５３は、ベアディスクガイド面５５がベアディスク３１ｂを保持可能なベアディスク保持位置と、カートリッジ当接面５７がカートリッジ３０を保持可能なカートリッジ保持位置とに回動可能になされている。また、ばね５４は、ベアディスク保持位置を維持するように、回動レバー５３を付勢している。
【００２８】
ここで、前記保持手段４０および保持手段５０のベアディスク保持位置において、保持手段４０のガイド部４５のベアディスクガイド面４５ａと、保持手段５０の保持部５６のベアディスクガイド面５５は、ベアディスク３１ｂのチャッキング時の回転中心Ｏを中心とし且つベアディスク３１ｂの直径よりも若干大きな円周上にある。
【００２９】
前記保持手段５０の保持部５６の上面には、前側に向けて低くなる傾斜面５８が形成されている。しかも、前記ばね５４は、その変形荷重が、搭載時に傾斜面５８に作用するベアディスク３１ｂの自重より大きく、カートリッジ３０の自重より小さくなされている。即ち、回動レバー５３がベアディスク保持位置にあって、ベアディスク３１ｂを搭載する際に、その後部が傾斜面５８に載った場合には、ベアディスク３１ｂは自重で傾斜面５８を摺動して滑り落ちることができ、また、カートリッジ３０を搭載する際に、その後部が傾斜面５８に載った場合には、カートリッジ３０は自重で傾斜面５８を摺動し、保持部５６が後退する方向に回動レバー５３を回動させてカートリッジ３０を搭載できるように、前記ばね５４の変形荷重が設定されている。
【００３０】
本実施の形態の光ディスク装置１は以上の構成からなり、以下に、かかる光ディスク装置１の使用例について説明する。
【００３１】
先ず、前記トレイ２０にベアディスク３１ｂを搭載する場合、トレイ２０を着脱位置に位置させておいて、ベアディスク３１ｂをトレイ２０の底壁２２の記録媒体搭載面２１に載置させる。ベアディスク３１ｂを所定位置より後方に少しずらせて載置した場合、ベアディスク３１ｂの後部が、ベアディスク保持位置にある保持手段５０の保持部５６の傾斜面５８に載る（図６、図８（ａ）および図８（ｂ）参照）。ベアディスク３１ｂの後部が傾斜面５８に当接した後、ベアディスク３１ｂは自重により、傾斜面５８を滑り落ち所定の位置に収まる。仮に、ベアディスク３１ｂが滑り落ち難い場合であっても、手でベアディスク３１ｂを軽く押すことにより、容易に滑り落とすことができる。
【００３２】
更に、トレイ２０をローディングして、図８（ｃ）に示すように、記録再生位置まで移送させた後に、ベアディスク３１ｂがターンテーブル５に確実にチャッキングされる（ターンテーブル５が、ベアディスク３１ｂの中央に形成された孔３７ａに嵌合し、ベアディスク３１ｂを回転すべくトレイ２０から離間させる）。
【００３３】
トレイ２０のローディング時に、保持手段４０および保持手段５０は、ベアディスク保持位置にあるため、ベアディスク３１ｂをずれることなく保持する。
【００３４】
また、トレイ２０にカートリッジ３０を搭載する場合は、トレイ２０を着脱位置に位置させておいて、カートリッジ３０の先端を保持手段４０に当接させた状態で、カートリッジ３０を前方に押し込む。カートリッジ３０は、保持手段４０の回動体４３をばね４４に抗して支持軸２６を中心にしてカートリッジ保持位置まで回転させるので、当接部４６がカートリッジ３０の先端に当接し、カートリッジ３０の手前（挿入方向後方部）が下方向に下りると、カートリッジ３０の後角部が、保持部５６の傾斜面５８に当接する（図９（ａ）参照）。
【００３５】
カートリッジ３０は、自重により、保持手段５０のばね５４に抗して回動レバー５３をカートリッジ保持位置に回動させる。この結果、カートリッジ３０をトレイ２０の底壁２２のカートリッジ搭載面２１に搭載することができ、カートリッジ３０の前面は、保持手段４０の当接部４６に保持され、後面は、保持手段５０の保持部５６に保持される（図９（ｂ）参照）。なお、仮に、カートリッジ３０が自重により、回動レバー５３を回動し難い場合であっても、手でカートリッジ３０の後部を軽く下方に押すことにより、回動レバー５３を容易に回動させてカートリッジ３０を搭載できる。
【００３６】
更に、トレイ２０をローディングし、収納されているディスク３１がターンテーブル５に下方からチャッキングされる（図９（ｃ）参照）。このとき、ターンテーブル５が、ディスク３１ａの中央に形成された孔３７ｂに嵌合し、ディスク３１ａを回転すべくケーシング３５から離間させる。
【００３７】
カートリッジ３０をトレイ２０から取り出す場合には、トレイ２０をアンローディングして着脱位置に移送させる。そして、カートリッジ３０の後方部を持ち上げると、カートリッジ３０を容易に取り出すことができる。保持手段４０の回動体４３および保持手段５０の回動レバー５３は、ばね４４、５４でそれぞれ付勢されているため、カートリッジ３０を取り出すと元のベアディスク保持位置に復帰する。
【００３８】
以上のように、本実施の形態は、ベアディスク３１ｂおよびカートリッジ３０をトレイ２０の同一記録媒体搭載面２１に搭載するので、ベアディスク３１ｂおよびディスク３１ａの載置位置の差を従来に比し小さくできることとなり、ベアディスク３１ｂおよびカートリッジ３０をそれぞれ正確にチャッキングできる。
【００３９】
また、保持手段４０の回動体４３および保持手段５０の回動レバー５３は、トレイ２０の底壁２２に沿ってそれぞれ回動するため、トレイ２０や装置全体の厚さが厚くなるおそれはない。
【００４０】
本発明は、前記実施の形態に限定されるものではない。例えば、前記実施の形態では、保持手段４０の回動体４３および保持手段５０の回動レバー５３を回動自在に構成したものを例示したが、何れか一方の保持部材のみを回動する構成にし、他方の保持部材は、固定させてもよい。
【００４１】
また、記録媒体としてベアディスク３１ｂおよびカートリッジ３０を例示したが、ベアディスク３１ｂを搭載せず、ディスクの直径の相違する複数種類のカートリッジ３０を搭載するトレイであってもよい。かかるカートリッジ３０の場合には、２種類のもの以外に３種類以上の複数種類のものが使用可能となる。
【図面の簡単な説明】
【００４２】
【図１】本発明にかかる光ディスク装置の一実施の形態を示すベアディスクを搭載したトレイの平面図である。
【図２】同カートリッジを搭載したトレイの平面図である。
【図３】同ベアディスクを搭載したトレイの斜視図である。
【図４】同カートリッジを搭載する状態のトレイの斜視図である。
【図５】本発明の光ディスク装置の概略斜視図である。
【図６】本発明にかかる光ディスク装置の一実施の形態を示すベアディスクをトレイに搭載する途中の平面図である。
【図７】同カートリッジをトレイに搭載した状態の断面図である。
【図８】本発明にかかる光ディスク装置のトレイにベアディスクを搭載する場合を示し、（ａ）はベアディスクをずれて搭載しようとした場合の概略断面図、（ｂ）はベアディスクの後部が保持手段に搭載された状態を示す概略断面図、（ｃ）はベアディスクをチャッキングする状態を示す概略断面図である。
【図９】本発明にかかる光ディスク装置のトレイにカートリッジを搭載する場合を示し、（ａ）はカートリッジの装着途中を示す概略断面図、（ｂ）はカートリッジの搭載時を示す概略断面図、（ｃ）はチャッキングする状態を示す概略断面図である。
【図１０】従来例を示し、（ａ）はカートリッジおよびベアディスクのトレイへの搭載位置を示す断面図、（ｂ）はカートリッジのチャッキング状態を示す断面図、（ｃ）はベアディスクのチャッキング状態を示す断面図である。
【符号の説明】
【００４３】
１      光ディスク装置本体
５      ターンテーブル
２０    トレイ
２２    トレイの底壁
３０    カートリッジ
３１ａ  ディスク
３１ｂ  ベアディスク
４０    保持手段
４３    回動体（保持部材）
４５ａ  ベアディスクガイド面
５０    保持手段
５３    回動レバー（保持部材）
５５    ベアディスクガイド面
５８    傾斜面
【図１】
2006085836.tif 000003
【図２】
2006085836.tif 000004
【図３】
2006085836.tif 000005
【図４】
2006085836.tif 000006
【図５】
2006085836.tif 000007
【図６】
2006085836.tif 000008
【図７】
2006085836.tif 000009
【図８】
2006085836.tif 000010
【図９】
2006085836.tif 000011
【図１０】
2006085836.tif 000012